(57)【要約】【課題】  自然な外観を有する着用時の快適性に優れたかつらベース及びかつらをシンプルな工程で製造可能なかつらベース及びかつらの製造方法、並びに製造されたかつらベース及びかつらを提供する。  【解決手段】  インクジェットプリンタ３０により、かつらベース２の1の領域から他の領域に向けて、色相、明度及び彩度の少なくとも１つを連続的に変化させて着色する工程を含むかつらベース２及びかつら１０の製造方法、並びに当該かつらベース２及びかつら１０を提供する。【選択図】  図３
2017036528.tif 000002
【特許請求の範囲】
【請求項１】
インクジェットプリンタにより、かつらベースの1の領域から他の領域に向けて、色相、明度及び彩度の少なくとも１つを連続的に変化させて着色する工程を含むことを特徴とするかつらベースの製造方法。
【請求項２】
前記1の領域から前記他の領域に向けて、濃色から薄色または薄色から濃色へ変連続的に化させて着色することを特徴とする請求項１に記載のかつらベースの製造方法。
【請求項３】
前記1の領域が前記かつらベースの前頭部側の領域であり、前記その他の領域が前記かつらベースの後頭部側の領域であることを特徴とする請求項１または２に記載のかつらベースの製造方法。
【請求項４】
前記1の領域が前記かつらベースの中央近傍領域、分髪領域または旋毛領域であり、前記その他の領域が前記かつらベースの縁部領域であることを特徴とする請求項１または２に記載のかつらベースの製造方法。
【請求項５】
請求項１から４の何れか1項に記載の製造法で製造されたかつらベースに擬毛を植設する工程を含むことを特徴とするかつらの製造方法。
【請求項６】
前頭部側の領域から後頭部側の領域に向けて、濃色から薄色または薄色から濃色へ連続的に変化するように着色されたことを特徴とするかつらベース。
【請求項７】
中央近傍領域、分髪領域または旋毛領域から縁部領域に向けて、濃色から薄色または薄色から濃色へ連続的に変化するように着色されたことを特徴とするかつらベース。
【請求項８】
かつらベースの分髪領域または旋毛領域から、前記分髪領域または前記旋毛領域と前記かつらベースの縁部領域との間の所定の領域に向けて、薄色から濃色へ連続的に変化し、前記所定の領域から前記縁部領域に向けて濃色から薄色へ連続的に変化するように着色されたことを特徴とするかつらベース。
【請求項９】
請求項６から８の何れか1項に記載のかつらベースに擬毛が植設されたかつら。
【発明の詳細な説明】
【技術分野】
【０００１】
本発明は、かつらベース及びかつらベースに擬毛を植設したかつらの製造方法、並びに製造されたかつらベース及びかつらに関する。
【背景技術】
【０００２】
人の頭部に装着するかつらは、通常、かつらベースと称するベース部分に擬毛を植設することによって形成される。このようなかつらベース及びかつらの中には、外観を自然に見せるために、かつらベース自体の色を複数色に着色するものが知られている。
これを実現するため、例えば、複数のベース素材が接合部で接合されたかつらベースにおいて、少なくとも１つのベース素材が接合部に近づくにつれて色が濃くなるように染色する染色方法が提案されている（例えば、特許文献１参照）。また、異なる色のかつらベースの基布をそれぞれの一部が重なるように配置して形成されたかつらベースも提案されている（例えば、特許文献２参照）。
【先行技術文献】
【特許文献】
【０００３】
【特許文献１】特開２０１３−５７１５０
【特許文献２】特開２０１５−３０９３７
【発明の概要】
【発明が解決しようとする課題】
【０００４】
特許文献１に記載の染色方法では、複数回の染色作業を行う必要があるので、生産効率が低い。また、染色作業においては、染色処理後に加熱して色を定着させる工程が必要であり、複数回の染色作業によりかつらベースの基布が劣化する虞がある。
また、特許文献２に記載のかつらでは、かつらベースの基布を複数枚重ねて形成する必要があるので、かつらの通気性や軽量性が阻害され、着用時の快適性が損なわれる虞がある。
【０００５】
本発明にかかる目的は、上記の課題を解決するものであり、自然な外観を有する着用時の快適性に優れたかつらベース及びかつらをシンプルな工程で製造可能なかつらベース及びかつらの製造方法、並びに製造されたかつらベース及びかつらを提供することを目的とする。  
【課題を解決するための手段】
【０００６】
上記の課題を解決するため、本発明の１つの実施態様に係るかつらベース及びかつらの製造方法では、
インクジェットプリンタにより、かつらベースの1の領域から他の領域に向けて、色相、明度及び彩度の少なくとも１つを連続的に変化させて着色する工程を含む。
【０００７】
本発明に係るかつらベース及びかつらの１つの実施態様では、
前頭部側の領域から後頭部側の領域に向けて、または中央近傍領域、分髪領域若しくは旋毛領域から縁部領域に向けて、濃色から薄色または薄色から濃色へ連続的に変化するように着色されている。
【発明の効果】
【０００８】
以上のように、本発明の実施態様においては、自然な外観を有する着用時の快適性に優れたかつらベース及びかつらをシンプルな工程で製造可能なかつらベース及びかつらの製造方法、並びに製造されたかつらベース及びかつらを提供することができる。
【図面の簡単な説明】
【０００９】
【図１】本発明の１つの実施形態に係るかつらベース及びかつらを示す模式的な平面図である。
【図２】かつらベースに施す着色が連続的に変化するグラデーションパターンの一例を示す模式図である。
【図３】本発明の１つの実施形態に係るかつらベースの着色工程を含む、かつらベース及びかつらを製造する各工程を示す模式図である。
【発明を実施するための形態】
【００１０】
本発明の実施態様１に係るかつらベースの製造方法では、インクジェットプリンタにより、かつらベースの1の領域から他の領域に向けて、色相、明度及び彩度の少なくとも１つを連続的に変化させて着色する工程を含む。
【００１１】
本実施態様では、インクジェットプリンタにより色相、明度及び彩度の少なくとも１つを連続的に変化させて着色することができるので、自然な外観を有する着用時の快適性に優れたかつらベースをシンプルな工程で製造することができる。
なお、インクジェットプリンタにより色相、明度及び彩度の少なくとも１つを連続的に変化させることは、インクジェットプリンタが有する階調において、連続階調で多段階に変化させてグラデーションを形成することを意味する。
【００１２】
１の領域及び他の領域として、かつらベース上の任意の領域を適用することができる。また、１の領域から他の領域に向けて着色を連続的に変化させる部分は１つに限られるものではなく、複数有する場合もあり得る。また、着色が連続的に変化するグラデーションのパターンとしては、一方向へ直線的に変化していくパターンもあり得るし、波紋が広がるような円形状、楕円形状、花形状等に変化するパターンもあり得るし、多角形状や放射状に変化するパターンもあり得るし、その他の任意のパターンを採用することができる。
【００１３】
例えば、生え際に位置するかつらベースの前頭部側の領域、地肌が見える分髪領域及び旋毛領域を肌色に近い薄い色で着色し、それらの領域の間の所定の領域を毛髪の色に近い濃い茶や黒に着色し、前頭部側の領域、分髪領域及び旋毛領域と所定の領域との間で着色を連続的に変化させることも可能である。つまり、１の領域から他の領域に向けて着色が連続的に濃くなり、このその他の領域が新たな１の領域となって、新たな他の領域に向けて着色が連続的に薄くなるようにすることもできる。
コンピュータで作った画像データに基づいて、インクジェットプリンタを用いることによって、任意のグラデーションパターンを有する着色を容易に行うことができる。
【００１４】
本発明の実施態様２に係るかつらベースの製造方法では、上記の実施態様１において、
前記1の領域から前記他の領域に向けて、濃色から薄色または薄色から濃色へ連続的に変化させて着色する。
【００１５】
本実施態様では、１の領域から他の領域に向けて、濃色から薄色または薄色から濃色へ連続的に変化させて着色するので、より自然な外観を有するかつらベースを提供できる。
なお、濃色から薄色または薄色から濃色への変化は、主に明度及び色相を変化させる、つまり主に色調を変化させることを意味する。薄色から濃色への変化の一例としては、上述のように、薄い肌色から、だんだん茶色または灰色がかった色に変化し、最終的に焦げ茶や黒に変化するパターンを挙げることができる。薄色に関しては、透明の場合からだんだん色を濃くしていく場合も含まれる。透明にした場合には、生え際や地肌が見える領域において、かつらベースを目立ちにくくする、つまりかつらベースの露見を緩和する効果を高めることができる。  
【００１６】
本発明の実施態様３に係るかつらベースの製造方法では、上記の実施態様１または２において、
前記1の領域が前記かつらベースの前頭部側の領域であり、前記その他の領域が前記かつらベースの後頭部側の領域である。
【００１７】
本実施態様では、前頭部側の領域から後頭部側の領域に向けて、連続的に着色を変化させるので、より自然な外観を有するかつらベースを提供できる。
【００１８】
本発明の実施態様４に係るかつらベースの製造方法では、上記の実施態様１または２において、
前記1の領域が前記かつらベースの中央近傍領域、分髪領域または旋毛領域であり、前記その他の領域が前記かつらベースの縁部領域である。
【００１９】
ここで、かつらベースの中央近傍領域とは、かつらベースの中央及びその近傍の領域を意味する。使用者の頭部全体を覆う全頭用かつらの場合には、かつら装着時には、使用者の頭頂部（頭の一番高いところ）からゴールデンポイントにかけた領域を覆うことになる。なお、ゴールデンポイントとは、あごからイヤーポイント（両耳の一番高いところ）を通るラインの延長線と、正中線（頭を左右に分けた際の中心線）が交わる点を言う。かつら装着時に、使用者の毛髪の状態に応じて、かつらベースの中央近傍領域が、多くの毛髪が存在する領域に位置する場合も、地肌が見える領域に位置する場合もあり得る。また、使用者の頭部の一部を覆う部分かつらの場合には、その用途に応じて、最適な部分がかつらベースの中央近傍領域で覆われるようするのが好ましい。
かつらベースの分髪領域とは、かつら装着時に、使用者の分髪領域に位置する領域を意味する。分髪領域とは、所謂毛髪の分け目のことである。毛髪が一定の方向に流れるように生えているのを毛流と称するが、分髪領域を境として、その両側で毛流の向きが逆向きになる。よって、分髪領域では地肌が見えやすくなる。
【００２０】
かつらベースの旋毛領域とは、かつら装着時に、使用者の旋毛領域に位置する領域を意味する。旋毛領域とは、毛流が放散するようにうずを巻いている部分のことである。よって、旋毛領域でも地肌が見えやすくなる。なお、旋毛領域は、ゴールデンポイントのやや後方に位置する場合が多く、１箇所だけでなく、複数箇所存在する場合もある。
かつらベースの縁部領域は、かつらベースの周囲全周の場合もあり得るし、左右方向または前後方向における端部の場合もあり得る。かつらベースの大きさによって、かつら装着時に、縁部領域が、多くの毛髪が存在する領域に位置する場合も、地肌が見える領域に位置する場合もあり得る。
【００２１】
本実施態様では、中央近傍領域、分髪領域または旋毛領域から縁部領域に向けて、連続的に着色を変化させるので、より自然な外観を有するかつらベースを提供できる。  
【００２２】
本発明の実施態様５に係るかつらの製造方法では、
上記何れかの製造法で製造されたかつらベースに擬毛を植設する工程を含む。
【００２３】
本実施態様では、上記のかつらベースの製造方法における作用効果を同様に奏するかつらを提供できる。
【００２４】
本発明の実施態様６に係るかつらベースでは、
前頭部側の領域から後頭部側の領域に向けて、濃色から薄色または薄色から濃色へ連続的に変化するように着色されている。
【００２５】
本実施態様では、例えば、前頭部側の領域から後頭部側の領域に向けて薄色から濃色へ連続的に変化するように着色すれば、生え際となる前頭部側の領域において、かつらベースの露見を緩和でき、後頭部側の領域において、仮に植設された擬毛の密度が比較的低い場合でも、毛髪が十分な密度で生えている印象を与えることができる。更に、前頭部側から後頭部側に向けて連続的に着色が変化していくので、より自然な外観を有するかつらベースを提供できる。
【００２６】
本発明の実施態様７に係るかつらベースでは、
中央近傍領域、分髪領域または旋毛領域から縁部領域に向けて、濃色から薄色または薄色から濃色へ連続的に変化するように着色されている。
【００２７】
本実施態様では、例えば、分髪領域または旋毛領域から縁部領域に向けて薄色から濃色へ連続的に変化するように着色すれば、地肌が見える分髪領域または旋毛領域において、かつらベースの露見を緩和でき、縁部領域において、仮に植設された擬毛の密度が比較的低い場合でも、毛髪が十分な密度で生えている印象を与えることができる。更に、分髪領域または旋毛領域から縁部領域に向けて連続的に着色を変化していくので、より自然な外観を有するかつらベースを提供できる。
【００２８】
本発明の実施態様８に係るかつらベースでは、
かつらベースの分髪領域または旋毛領域から、前記分髪領域または前記旋毛領域と前記かつらベースの縁部領域との間の所定の領域に向けて、薄色から濃色へ連続的に変化し、前記所定の領域から前記縁部領域に向けて濃色から薄色へ連続的に変化するように着色されている。
【００２９】
本実施態様では、分髪領域または旋毛領域から周囲に進むにつれて、薄色から濃色に連続的に変化するように着色され、分髪領域または旋毛領域と縁部領域との間の所定の領域で最も色が濃くなり、再び、所定の領域から縁部領域に向けて濃色から薄色に連続的に変化していく。よって、分髪領域または旋毛領域及び縁部領域が薄色に着色されているので、生え際や地肌が見える領域において、かつらベースの存在が露見しにくくなり、その間の所定の領域が濃色に着色されているので、仮に植設された擬毛の密度が比較的低い場合でも、毛髪が十分な密度で生えている印象を与えることができる。特に、分髪領域または旋毛領域及び縁部領域から所定の領域に向けて、薄色から濃色へ連続的に変化していくので、より自然な外観を示すことができる。
【００３０】
本発明の実施態様９に係るかつらでは、
上記実施態様６から８の何れかのたかつらベースに擬毛が植設されている。
【００３１】
本実施態様では、上記のかつらベースにおける作用効果を同様に奏するかつらを提供できる。
【００３２】
次に、本発明の実施態様のかつらベース及びこのかつらベースを用いたかつらについて、以下に図面を用いながら詳細に説明する。
(かつらベース及びかつらの説明）
かつらベースは、かつらを構成する主要部材であり、人毛、人工毛等からなる擬毛をかつらベースに植設することにより、かつらが形成される。かつらベースの擬毛が植設されていない側の面が、頭部と接する装着面となる。
まず、図１を参照しながら、本発明の１つの実施形態に係るかつらベース２、及びこのかつらベース２に擬毛４が植設されたかつら１０の説明を行う。ここで、図１は、本発明の１つの実施形態に係るかつらベース２及びかつら１０を示す模式的な平面図である。図１は、擬毛４が植設された上面（装着面の反対側の面）側からを見た図である。
【００３３】
本実施形態では、かつらベース２は、合成樹脂材料や天然材料からなるネット素材から構成されており、ネットの目に擬毛４を結び付けることにより植設することができる。なお、図１では、かつらベース２を示すため、ごく一部の領域にだけ擬毛４が植設されているように示されているが、かつらベースの全面を含む任意の領域に任意の密度で、擬毛４を植設することができる。本実施形態では、全頭を覆うかつらベース２を示しているが、これに限られるものではなく、頭部の一部を覆うかつらベースも考えられる。
【００３４】
図１（ａ）では、かつらベース２の前頭部側の領域Ａから後頭部側の領域Ｂに向けて、色調が薄色から濃色へ連続的に変化するように着色されている。本実施形態では、前頭部側の領域Ａが薄色に着色されているので、生え際となる前頭部側の領域Ａにおいて、かつらベースの存在が露見しにくくなり、後頭部側の領域Ｂが濃色に着色されているので、仮に植設された擬毛４の密度が比較的低い場合でも、毛髪が十分な密度で生えている印象を与えることができる。特に、前頭部側の領域Ａから後頭部側の領域Ｂに向けて、色調が薄色から濃色へ連続的に変化していくので、自然な外観を示すことができる。
なお、用途によっては、逆に、かつらベース２の前頭部側の領域Ａから後頭部側の領域Ｂに向けて、色調が濃色から薄色へ連続的に変化するように着色されている場合もあり得る。
【００３５】
ここで、色調とはカラートーンとも称し、主に明度及び色相を変化させることによって変化させることができる。薄色から濃色への変化の一例としては、上述のように、薄い肌色から、だんだん茶色または灰色がかった色に変化し、最終的に焦げ茶や黒に変化するパターンが挙げることができる。ただし、同時に彩度を変化させることも可能であり、肌や髪の毛の状態に応じて、それに適するように彩度も連続的に変化させることもできる。
薄色に関しては、透明の場合からだんだん色を濃くしていく場合も含まれる。この場合には、透明な材料で構成されたかつらベース２に着色を施すことによって、透明から徐々に色を濃くしていくグラデーションを実現できる。透明にした場合には、生え際領域等において、かつらベース２を目立ちにくくする、つまりかつらベースの露見を緩和する効果を高めることができる。  
【００３６】
図１（ｂ）では、中央近傍領域Ｃから縁部領域Ｄ（ここでは、周囲全周）に向けて、色調が濃色から薄色に連続的に変化するように着色されている。本実施形態では、中央近傍領域Ｃが濃色に着色されているので、仮に植設された擬毛４の密度が比較的低い場合でも、毛髪が十分な密度で生えている印象を与えることができ、縁部領域Ｄが薄色に着色されているので、生え際となる縁部領域Ｄにおいて、かつらベース２の存在が露見しにくくなる。特に、中央近傍領域Ｃから縁部領域Ｄ（周囲全周）に向けて、色調が濃色から薄色へ連続的に変化していくので、自然な外観を示すことができる。
なお、用途によっては、逆に、中央近傍領域Ｃから縁部領域Ｄ（周囲全周）に向けて、色調が薄色から濃色に連続的に変化するように着色されている場合もあり得る。
【００３７】
図１（ｃ）では、分髪領域Ｅから縁部領域Ｆ（ここでは左右両側）に向けて、色調が薄色から濃色に連続的に変化するように着色されている。本実施形態では、分髪領域Ｅが薄色に着色されているので、地肌が見える分髪領域Ｅにおいて、かつらベース２の存在が露見しにくくなり、縁部領域Ｆが濃色に着色されているので、仮に植設された擬毛４の密度が比較的低い場合でも、毛髪が十分な密度で生えている印象を与えることができる。特に、分髪領域Ｅから縁部領域Ｆ（左右両側）に向けて、色調が薄色から濃色へ連続的に変化していくので、自然な外観を示すことができる。
なお、用途によっては、逆に、分髪領域Ｅから縁部領域Ｆ（左右両側）に向けて、色調が濃色からに薄色に連続的に変化するように着色されている場合もあり得る。
【００３８】
更に、分髪領域Ｅから両側に進むにつれて、色調が薄色から濃色に連続的に変化するように着色され、分髪領域Ｅと縁部領域Ｆ（左右両側）との間の所定の領域で最も色が濃くなり、再び、所定の領域から縁部領域Ｆ（左右両側）に向けて、色調が濃色から薄色に連続的に変化していく実施形態も考えられる。
この場合には、分髪領域Ｅ及び縁部領域Ｆ（左右両側）が薄色に着色されているので、生え際となるまたは地肌が見える領域において、かつらベース２の存在が露見しにくくなり、その間の所定の領域が濃色に着色されているので、仮に植設された擬毛４の密度が比較的低い場合でも、毛髪が十分な密度で生えている印象を与えることができる。特に、分髪領域Ｅ及び縁部領域Ｆ（左右両側）からその間の所定の領域に向けて、色調が薄色から濃色へ連続的に変化していくので、自然な外観を示すことができる。
【００３９】
また、旋毛領域から縁部領域に向けて、色調が薄色から濃色に連続的に変化するように着色されている実施形態も考えられる。本実施形態では、旋毛領域が薄色に着色されているので、地肌が見える旋毛領域において、かつらベース２の存在が露見しにくくなり、縁部領域が濃色に着色されているので、仮に植設された擬毛４の密度が比較的低い場合でも、毛髪が十分な密度で生えている印象を与えることができる。特に、旋毛領域から縁部領域に向けて、色調が薄色から濃色へ連続的に変化していくので、自然な外観を示すことができる。
なお、用途によっては、逆に、旋毛領域から縁部領域に向けて、色調が濃色からに薄色連続的に変化するように着色されている場合もあり得る。
【００４０】
更に、旋毛領域から周囲に進むにつれて、色調が薄色から濃色に連続的に変化するように着色され、旋毛領域と縁部領域との間の所定の領域で最も色が濃くなり、再び、所定の領域から縁部領域に向けて、色調が濃色から薄色に連続的に変化していく実施形態も考えられる。
この場合には、旋毛領域及び縁部領域が薄色に着色されているので、地肌が見えるまたは生え際となる領域において、かつらベース２の存在が露見しにくくなり、その間の所定の領域が濃色に着色されているので、仮に植設された擬毛４の密度が比較的低い場合でも、毛髪が十分な密度で生えている印象を与えることができる。特に、旋毛領域及び縁部領域からその間の所定の領域に向けて、色調が薄色から濃色へ連続的に変化していくので、自然な外観を示すことができる。
【００４１】
着色が連続的に変化するグラデーションのパターンとしては、図１に示すようなパターンだけでなく、図２に示すようなパターンもあり得る。（ａ）に示すような波紋が広がるような円形状、楕円形状、花形状等に変化するパターンもあり得るし、（ｂ）に示すような多角形状に変化するパターンもあり得るし、（ｃ）または（ｄ）に示すような放射状に変化するパターンもあり得る。放射状に変化するパターンでは、（ｃ）に示すようなスター状に広がるものもあるし、（ｄ）に示すような十字状に広がるものもある。なお、図１及び２に示すパターンは一例に過ぎず、その他の任意のパターンを採用することができる。
【００４２】
上記の実施形態では、主に明度及び色相を変化させて、色調が連続的に変化するように着色しているが、これに限られるものではなく、彩度を含めて連続的に変化させて着色することもでき、色相、明度及び彩度の全て、またはそれらの少なくとも１つを連続的に変化させて着色することができる。
また、上記においては、主に自然な外観を有するかつらを実現するために、着色を連続的に変化させているが、これに限られるものではなく、ファッション性や装飾性、演出的効果等を高めるために、着色を連続的に変化させることもできる。
【００４３】
(かつらベース及びかつらの製造方法の説明）
次に、図３を用いて、かつらベースの着色工程を含む、かつらベース及びかつらの製造方法について説明を行う。図３は、かつらベース２の着色工程を含む、かつらベース２及びかつら１０を製造する各工程を示す模式図である。
はじめに図３（ａ）に示すように、合成樹脂材料や天然材料からなるネット素材を裁断、縫製等により加工して、所望のかつらベース２を準備する。このかつらベース２は、全頭を覆うものでも、頭を部分的に覆うものでもよい。次に、図３（ｂ）に示すように、コンピュータ２０を用いて色相、明度及び彩度の少なくとも１つを連続的に変化させて着色したかつらベース２の画像データを作成する。この場合、着色を連続的に変化させる部分は複数存在してもよい。  
【００４４】
次に、図３（ｃ）に示すように、図３（ａ）で準備したかつらベース２を、専用のインクジェットプリンタ３０にセットする。そして、コンピュータ２０で作成した画像データに基づいて、インクジェットプリンタ３０でセットしたかつらベース２に着色を行う。ここで、インクジェットプリンタ３０を用いて色相、明度及び彩度の少なくとも１つを連続的に変化させて着色するとは、インクジェットプリンタ３０が有する階調において、連続階調で多段階に変化させてクラデーションを形成することを意味する。
コンピュータ２０及びインクジェットプリンタ３０を用いることにより、任意のグラデーションのパターンを有する着色を容易に行うことができる。特に、インクジェットプリンタ３０を用いることにより、繊細なグラデーションを忠実に再現して着色することができ、加熱して色を定着させる工程も不要なので、かつらベースの劣化の虞もない。
【００４５】
なお、かつらベースを着色する塗料としては、インクジェットプリンタで使用可能な任意の塗料を用いることができる。かつらベース２として天然材料からなるネット素材が用いられている場合には、水系インクを用いることができ、かつらベース２として合成樹脂材料が用いられている場合には、油系インクを用いることが好ましく、有機溶剤系インクを用いることもできる。
【００４６】
そして、図３（ｄ）に示すように、着色されたかつらベース２のメッシュの開口に擬毛４を通して、メッシュの枠部材（フィラメント）に結びつけて植設し、かつら１０を製造することができる。なお、擬毛４の結び方については、既知の任意の手法を用いることができる。
【００４７】
以上のような着色工程を含む製造方法により、上記の実施形態を含む任意のグラデーションを有するかつらベース２及びかつら１０を製造することができる。特に、コンピュータ２０及びインクジェットプリンタ３０を用いることにより、着色を連続的に変化させる部分を複数有する複雑なグラデーションパターンを有するかつらベース及びかつらをシンプルな工程で容易に製造することができる。  
【００４８】
本発明の実施の形態を説明したが、開示内容は構成の細部において変化してもよく、実施の形態における要素の組合せや順序の変化等は請求された本発明の範囲および思想を逸脱することなく実現し得るものである。
【符号の説明】
【００４９】
２      かつらベース
４      擬毛
１０    かつら
２０    コンピュータ
３０    インクジェットプリンタ
【図１】
2017036528.tif 000003
【図２】
2017036528.tif 000004
【図３】
2017036528.tif 000005